(57)【要約】【課題】捺印する際に正確な位置に、かつ書面にまっすぐに捺印可能な印鑑を提供する。【解決手段】透明性を有する印鑑保持体１ａに、印鑑部１ｂを設け透明印鑑１とし、透明印鑑１を書面上に置いた状態では、印鑑部１ｂの刻印面１ｃは書面４との間に隙間を有するようにばねにより支持され、印鑑保持体１ａは、押下すると刻印面１ｃが書面４に接触すし、押下終了後に元に復元するように構成される。透明な印鑑保持体１ａを見透かして捺印箇所を確認することが可能である。また印鑑保持体１ａを指で押すことによりまっすぐに書面に捺印出来る効果がある。【選択図】図２
2013022956.tif 000002
【特許請求の範囲】
【請求項１】
透明材料で形成される印鑑保持体と印鑑部とからなる透明印鑑であって、前記印鑑保持体に印鑑部を設け前記印鑑保持体を支持するスライドケースと、前記印鑑部の刻印面と書面との間に隙間を有する形状となるように設定されたばねを設け透明印鑑を構成し、該透明印鑑を書面上に置いた状態では、前記印鑑保持体を押下時には、ばねにより前記刻印面が書面に接触するように形成されていることを特徴とする透明印鑑。
【請求項２】
透明材料で形成される印鑑保持体と印鑑部とからなる透明印鑑であって、前記印鑑部は前記印鑑保持体に設けて前記透明印鑑を構成し、該透明印鑑を書面上に置いた状態では、前記印鑑部の刻印面と書面との間に隙間を有する形状とし、前記印鑑保持体は該印鑑保持体を押下時に、前記印鑑部が書面に接触する柔軟性と、押下終了後は形状が復元する弾性を有する材料で形成されていることを特徴とする透明印鑑。
【請求項３】
前記する印鑑保持体の縁と係合する容器状のスタンプ台、又は朱肉台を追加取付し、これを閉じた状態で前記印鑑保持体を押下すると前記スタンプ台のインク又は前記朱肉台の朱肉に接触するように形成してあることを特徴とする請求項１記載の透明印鑑。
【発明の詳細な説明】
【技術分野】
【０００１】  本発明は、印鑑を書面上に置いた状態で透明体の印鑑を通して見透かして捺印位置を確認し、正確な位置に、かつ書面にまっすぐに捺印することが出来る透明印鑑に関する。
【背景技術】
【０００２】  現在よく見られる円柱形の印鑑の場合は、捺印する際に手元が傾いた状態では、印影の１部が欠落したり、また捺印位置のずれなどが生じるという問題が見られた。
一方、特許文献１には「投影可能な印鑑」などが提案されている。これは捺印文字の向きや捺印位置などを正確に確認するために、バックライトにより書面に刻印を投影して位置を確認することが出来るなどで知られる。しかしバックライトは電源式のため、電源切れが懸念される。また従来の円柱形印鑑と同様、手元で傾き易いため均一に捺印が出来ないという問題点がある。
【先行技術文献】
【特許文献１】特許公開２００７−２１６５３４号
【発明の概要】
【発明が解決しようとする課題】
【０００３】  現在多く見られる円柱状の印鑑は手元で傾き易く、印影が部分的に不鮮明になったりするという問題がある。本発明はこれらの問題を解決するためになされたものであり、捺印位置の確認が容易で、書面にまっすぐに捺印できる印鑑を提供することが課題である。
【課題を解決するための手段】
【０００４】  前記課題を解決するための請求項１に記載の発明は、図２に示すように透明性を有する材料にて形成された印鑑保持体１ａに、印鑑部１ｂを設け、印鑑保持体１ａに外接するスライドケース５を設け、スライドケース５にばね１ｄを設けて透明印鑑１を形成し、該透明印鑑１を書面上に自然に置いた状態では、印鑑部１ｂの刻印面１ｃは書面に接触しないように書面４との間に隙間を有するように形成され、印鑑保持体１ａを押下すると書面４に接触し、押下終了後は、ばねの復元力により印鑑保持体１ａおよび印鑑部１ｂが元の位置に復元するように形成される。
印鑑部１ｂは印鑑保持体１ａと一体成型で構成する手段と印鑑部１ｂを両面接着テープで印鑑保持体１ａに取付ける手段等がある。また印鑑部１ｂも透明性のある材料にて形成されればより明確に見透かすことが可能となる。【０００５】  請求項２に記載の発明は、図３に示すように、透明性を有する材料にて形成された印鑑保持体１ａに、印鑑部１ｂを設けて透明印鑑１とし、透明印鑑１を書面上に置いた状態では、印鑑部１ｂの刻印面１ｃは紙面に接触しないように書面４との間に隙間を有するように形成され、印鑑保持体１ａは、これを押下すると変形して、刻印面１ｃが書面４に接触する程度の柔軟性と、押下終了後には元の形状に復元する性能）を有する材料で構成される。
印鑑保持体１ａの透明性を有しかつ柔軟性と復元性を有する材料は、プラスチック、ゴムおよびシリコンゴムなど様々である。【０００６】  図６に示す請求項３に記載の発明は、印鑑保持体１ａの縁と係合する容器状のスタンプ台２、又は朱肉台２を追加取付し、該朱肉台２を閉じた状態で印鑑保持体１ａを押下すると刻印部１ｃがスタンプ台２のインク又は前記朱肉台２の朱肉に接触するように形成される。
【発明の効果】
【０００７】  捺印する書面上に透明印鑑１を置き、透明な印鑑保持体１ａを通して捺印箇所を見透かしながら捺印位置を決めることが出来るので、正確な位置に捺印出来る効果がある。
また印鑑部１ｂより幅が広い印鑑保持体１ａならびにスライドケース５が書面に広く接するために、安定して押印することが出来、印影が均一となる効果がある。
【図面の簡単な説明】
【０００８】
【図１】  本発明に係る透明印鑑１の１実施例の平面図である。
【図２】  図１のＡ−Ａに沿った断面図である。
【図３】  本発明に係る第二実施例の断面図である
【図４】  図３の捺印状態を示す図である。
【図５】  図１の平面形状変に変わって四角の平面形状を示す実施例である。
【図６】  本発明に係る第三実施例で朱肉台又はインク台を取り付けた断面図である。
【発明を実施するための最良の形態】
【実施例１】
【０００９】  図１は本発明での第一実施例に基づく平面図で、図２は前記平面図のＡ−Ａ断面図である。図２は本発明での第一実施例に基づく断面図である。前記する印鑑保持体１ａに外接するスライドケース５を設け、印鑑保持体１ａとスライドケース５の間にばね止め６で保持するばね１ｄを設け、印鑑保持体１ａを前記印鑑保持体は該印鑑保持体を押下時に、刻印面１ｃが書面４に接触し、押下終了後は、ばね１ｄの復元力により印鑑保持体１ａおよび印鑑部１ｂが元の位置に戻るように形成される。
印鑑保持体１ａの平面形状は図１に示す円形、図５に示す四角形など様々である。図５は本発明での印鑑保持体１ａを四角形として形成した場合の平面図である。この場合はスタンプ台２又は朱肉台２の平面形状も四角形での形成となる。またハート形、ダイヤ形など自由な形も成形可能である。
【実施例２】
【００１０】  図３は第二実施例に基づく断面図である。透明性を有する印鑑保持体１ａと印鑑部１ｂとからなる透明印鑑１であって、印鑑部１ｂは印鑑保持体１ａに設けて透明印鑑１を構成し、透明印鑑１を書面上に置いた状態では、刻印面１ｃと書面との間に隙間を有する形状であり、前記印鑑保持体は該印鑑保持体を押下時に、刻印面１ｃが書面に接触する柔軟性と、押下終了後は図３に点線で示すように復元性を有する材料で形成される。
【実施例３】
【００１１】  図６は本発明での第三実施例に基づく断面図である。印鑑保持体１ａの縁と係合する容器状のスタンプ台２又は朱肉台２を追加取付し、これを閉じた状態で印鑑保持体１ａを押下すると、刻印面１ｃがスタンプ台２のインク又は朱肉台２の朱肉に接触するように形成される。ばね１ｄの材料は、ゴム、プラスチック、鋼鉄製など様々である。
【実施例４】
【００１２】透明印鑑１は印鑑保持体１ａと印鑑部１ｂが一体で成型されるか、両面接着テープ材など接着により形成されるか様々である。また印鑑保持体１ａに穴を設けて印鑑部１ｂを差し込む構造とする手段もあり、この場合は複数の印鑑部１ｂを差替えて使用することが出来るので便利である。
また印鑑保持体１ａの縦断面形状は容器の蓋の断面状のようなコの字形や皿を伏せたような円弧形など様々である。
【符号の説明】
【００１３】１    透明印鑑
１ａ  印鑑保持体
１ｂ  印鑑部
１ｃ  刻印面
１ｄ  ばね
２    朱肉台又はスタンプ台
３    朱肉又はインク
４    書面
５    スライドケース
６    ばね止
【図１】
2013022956.tif 000003
【図２】
2013022956.tif 000004
【図３】
2013022956.tif 000005
【図４】
2013022956.tif 000006
【図５】
2013022956.tif 000007
【図６】
2013022956.tif 000008